(57)【要約】【課題】薄型で任意の場所へ設置することができ、しかも、電源及び信号の送受信のための配線が不要で、機能の追加もソフト的に対応できるリモコン装置を提供する。【解決手段】無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とで一つの無線タグ６を構成する。そして、無線タグ６を担持シート２上に設置し、これらを保護シート７で被覆する。これらのシート２，７及び無線タグ６は極めて薄いものであり、全体としても薄型であり、任意の場所へ設置することが可能である。また配線を施す必要がないので、任意の場所へ設置することが可能である。【選択図】  図１
2005130349.tif 000002
【特許請求の範囲】
【請求項１】
無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとを一つの無線タグとし、当該無線タグを担持シート上に取り付け、更にその全体を保護シートで被覆したことを特徴とする薄型の無線タグリモコン装置。
【請求項２】
無線タグが操作する機器本体の機能に応じて複数配設されている請求項１に記載の薄型の無線タグリモコン装置。
【発明の詳細な説明】
【技術分野】
【０００１】
本発明は、無線電波（ここでは電磁波を含む、以下同じ）を受信して電源の供給を受け、この電源を利用してデータをアンテナから送信する無線タグを担持シート上に取り付けて薄型にしたリモコン装置に関するものである。
【背景技術】
【０００２】
例えば、温水洗浄装置のリモコン装置としては、特許文献１に記載されたようなものが公知である。この特許文献１に記載されたリモコン装置は、その出願以前のリモコン装置が便器本体の脇に取り付けられるものであって、小便水を引っ掛けられて故障の原因となることがあることから、これを回避するために考案されたものである。具体的には、リモコン装置を便座本体に設けることにより、男性が小便を使用するときには便座が撥ね上げられた状態で使用されることになり、使用者に対向するのは便座の裏面側であってリモコン装置は奥の壁面（便器後部側）側を向いており、小便水がかからなくなるというものである。
【特許文献１】実公平６−１３８４９号公報
【発明の開示】
【発明が解決しようとする課題】
【０００３】
ところが、従来の温水洗浄装置等のリモコン装置では、前記特許文献１に記載されたリモコン装置を含めて、リモコン装置自体が基板に回路を形成して電子部品を組み込み、その全体をボックス内へ収納する構造であり、リモコン装置の全体が相当な厚みを有し、任意の部材又は部位へ設置することができないという欠点があった。
【０００４】
またリモコン装置のための電源及びその配線が必要であり、また信号のやりとりを行うための配線も必要であった。これらの配線は、便座のヒンジを通じて便座の内部で行うか、便座の外へその一部を露出させた剥き出しの状態で行われていた。そのため、面倒な配線接続作業を必要としたり、見栄えを悪くするという欠点があった。
更に、温水洗浄装置等の機器本体側の機能を追加しなければならないときは、リモコン装置本体の全体を取り替える必要があり、大掛かりな作業が必要であった。
【０００５】
本発明は従来の前記課題に鑑みてこれを改良除去したものであって、薄型で任意の場所へ設置することができ、しかも、電源及び信号の送受信のための配線が不要で、機能の追加もソフト的に対応することのできるリモコン装置を提供せんとするものである。
【課題を解決するための手段】
【０００６】
前記課題を解決するために本発明が採用した請求項１の手段は、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとで一つの無線タグとし、当該無線タグを担持シート上に取り付け、更にその全体を保護シートで被覆したことを特徴とする薄型の無線タグリモコン装置である。
【０００７】
本発明が採用した請求項２の手段は、無線タグが操作する機器本体の機能に応じて複数配設されている請求項１に記載の薄型の無線タグリモコン装置である。
【発明の効果】
【０００８】
請求項１の発明にあっては、担持シート上に無線タグを配設して保護シートで被覆することにより、リモコン装置全体の厚みを薄くできる。しかも、機器本体のリーダ側からの無線電波を受けることにより、無線タグＩＣに電源電圧が発生し、メモリに保存されていたデータの送信が可能となる。必要に応じて、選択したスイッチをＯＮ動作させることにより、無線タグＩＣから温水洗浄装置に対するデータを送信できる。このように、薄型で且つ配線を施す必要がないので、任意の場所へ設置することが可能である。
【０００９】
請求項２の発明にあっては、無線タグの設置数を機器本体の機能に応じて設置するようにしている。無線タグＩＣは、機器本体に予め設定された動作を行わせるべく書き込まれたデータを発信するようにしている。このデータは、ソフト的に処理することができる。従って、リモコン装置を、対象とする機器本体の機能に合わせて構成することが容易となる。また請求項２の発明にあっては、機器本体を共通化し、無線タグリモコン装置のタグＩＣの数やデータのみを変更することで、機器のグレードを設定することもできる。この場合、機器本体は共通化しても複数グレード展開が可能であり、コストダウンが可能となる。更に、スイッチの位置を容易に変更することが可能であり、デザイン上の自由度が向上するという利点もある。
【発明を実施するための最良の形態】
【００１０】
以下に、本発明の構成を図面に示す発明の実施の形態に基づいて説明すると次の通りである。図１は本発明の第１の実施の形態に係るリモコン装置１の全体を示すものであり、図（Ａ）は同装置１の縦断面図、図（Ｂ）は同装置１の平面図、図（Ｃ）は同装置１の電気回路構成を示す図面である。同図に示す如く、この実施の形態のリモコン装置１は、塩化ビニール等の担持シート２の上に無線タグ６を取り付け、更にこれらの全体を防水性及び可撓性を有する保護シート７で被覆している。
【００１１】
無線タグ６は、無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とから成る。このリモコン装置１の場合、無線タグ６は三つ設けられている。これは図（Ｂ）に示すように、温水洗浄装置のシャワー洗浄、ビデ洗浄、乾燥の各機能に対応して設けられたものである。無線タグ４は、温水洗浄装置の機器本体を制御するリーダ（図示せず）と無線電波で送受信を行うように設定されている。
【００１２】
このように構成されたリモコン装置１は、担持シート２及び無線タグ６並びに保護シート７のそれぞれが極めて薄いものであり、全体としても極めて薄型である。従って、任意の場所に設置することが可能であり、例えば、トイレ室の手摺りに設けてもよい。また保護シート７が防水性を有しており、小便等のかかる部位へ取り付けた場合でも機能上問題はないが、薄型である利便を活かして便座又は便蓋等へ取り付けることが可能であり、トイレットペーパーホルダーの紙切り板上に取り付けることも可能である。
【００１３】
次に、このように構成されたリモコン装置１の動作態様を説明する。使用者がトイレ室内へ入ると、これを人体検知センサーが検知し、温水洗浄装置の機器本体を制御するリーダが起動状態となり、無線タグＩＣ４へ電波が送信される。この時点では無線タグＩＣ４は、スイッチ５がＯＮとなっていないので、前記リーダ側の電波を受信することはない。次に、使用者がシャワー洗浄の操作を行うべく、これに対応する無線タグ６のスイッチ５をＯＮにしたとすると、前記リーダ側から送信された無線電波をアンテナ３が受信する。これにより無線タグＩＣ内部の電圧発生回路に動作用の電圧が発生する。
【００１４】
そして、無線タグＩＣ４は、メモリーに記憶されているデータを読み取り、当該データを無線通信インターフエイスを通じてアンテナ３から温水洗浄装置の機器本体へ送信する。機器本体側では、送信されたデータに応じた設定動作（シャワー洗浄）が行われる。これにより、無線通信方式によるリモコン操作が行われたことになる。このように、温水洗浄装置の使用者は、操作したい機能に応じてリモコン装置１のスイッチ５を選択して操作すればよい。
【００１５】
図２は、本発明の第２の実施の形態に係るものであり、担持シート２上に回路をパターン印刷して無線タグ６を配設し、スペーサ８を介してアンテナ３等の回路をパターン印刷した上部シート９を積層している。このとき、担持シート２と上部シート９との間に空間１０を形成し、当該空間１０に面する前記二つのシート７及び９にスイッチ５の接点５Ａ，５Ｂを配設している。そして、上部シート９上に保護シート７を積層し、保護シート７上の前記スイッチ部に対応する位置にエンボス部１１を設けている。このエンボス部１１を指で押圧することにより、該部分の保護シート７及び上部シート９が撓み、接点５Ａ，５Ｂが接合してスイッチ５がＯＮ動作するようになっている。対象となる機器の機能に応じて上記構成を複数設けること及び基本的な動作態様は、前記第１の実施の形態の場合と同じである。
【００１６】
ところで、本発明は上述した実施の形態に限定されるものではなく、適宜の変更が可能である。リモコン装置１は、温水洗浄装置へ適用した場合を説明したが、一般の家庭用電化製品のリモコン装置としても活用することが可能である。またアンテナ３は、リーダ側から送信される電波を効率よく受信するため、基板上の平面内においてコイル状に巻回した面ループ状形態を採用している。しかし、アンテナの形態は、交信にしようする電波の周波数や強度等に基づき変更することが可能であり、例えば、棒状、バッチ状（素子状）、複合バッチ状、面状、スロット状、螺旋状、パターン状等を状況に応じ適宜採用することが可能である。
【図面の簡単な説明】
【００１７】
【図１】本発明の第１の実施の形態に係るものであり、図（Ａ）はリモコン装置の縦断面図、図（Ｂ）は同装置の平面図、図（Ｃ）は同装置の回路図である。
【図２】本発明の第２の実施の形態に係るリモコン装置の縦断面図である。
【符号の説明】
【００１８】
１…リモコン装置、２…担持シート、３…アンテナ、４…無線タグ、５…スイッチ、６  …信号発生装置、７…保護シート、８…スペーサ、９…上部シート、１０…空間、１１  …エンボス部
【図１】
2005130349.tif 000003
【図２】
2005130349.tif 000004